(57)【要約】      （修正有）【課題】レベル本体の一面が磁石体で目障りとなるようなことはなく、さらに長期間の使用によってもレベル本体から磁石体が外れてしまうことのない水準器を提供する。【解決手段】透明の合成樹脂製とした直方体形状のレベル本体１の内部に短手方向と長手方向に沿って垂直度、水平度を測定するための透明の気泡管部２、２を互いに直交する方向に設け、前記気泡管部２、２のそれぞれの内方部の空間２ａに、気泡を残して液体を充填し、合成樹脂製の止栓４で密閉し、前記気泡管部２、２のそれぞれの外方部の空間２ｂに、磁石Ｍを収納した合成樹脂製のキャップ５を充填して、このキャップ５の外周面５ｏを前記空間部２ｂの内周面２ｉに接着させ、さらに前記キャップ５の頭部面５ｈを前記レベル本体１の外壁面１ｃと面一になるようにした。【選択図】図４
0003152031.tif 000002
【実用新案登録請求の範囲】
【請求項１】
透明の合成樹脂製とした直方体形状のレベル本体（１）の内部に短手方向と長手方向に沿って垂直度、水平度を測定するための透明の気泡管部（２、２）を互いに直交する方向に設け、前記気泡管部（２、２）のそれぞれの内方部の空間（２ａ）に、気泡（Ｂ）を残して液体（Ｌ）を充填し、合成樹脂製の止栓（４）で密閉し、前記気泡管部（２、２）のそれぞれの外方部の空間（２ｂ）に、磁石（Ｍ）を収納した合成樹脂製のキャップ（５）を充填して、このキャップ（５）の外周面（５ｏ）を前記空間部（２ｂ）の内周面（２ｉ）に接着させ、さらに前記キャップ（５）の頭部面（５ｈ）を前記レベル本体（１）の外壁面（１ｃ）と面一になるようしたことを特徴とする水準器。
【請求項２】
前記キャップ（５）に収納した磁石（Ｍ）の外周面（Ｍｏ）を、このキャップ（５）の内周面（５ｉ）に接着させたことを特徴とする請求項１記載の水準器。
【請求項３】
前記止栓（４）およびキャップ（５）を不透明体にし、これらを同一色にしたことを特徴とする請求項１〜３のいずれかに記載の水準器。
【考案の詳細な説明】
【技術分野】
【０００１】
この考案は、電気工事や建築工事等において、被測定面の水平度や垂直度を測定するための水準器に関するものである。
【背景技術】
【０００２】
従来、この種の水準器としては、例えば、図６、７に示したようなものが存在する。この水準器は、壁面に、コンセント設置穴や電源スイツチ穴のように寸法が規格化されている角穴を正確に穿設するに際して作業能率を大幅に高めることを可能とするとしており、以下のような構成としている。
【０００３】
先ず、この水準器は、正面１１ａの短寸方向寸法が５０〜５５ｍｍ、長手方向寸法が９５〜１００ｍｍで、所要の厚さをもつ透明合成樹脂製直方体形状のレベル本体１１の他の一面１１ｂに板状の磁石Ｍが固着されたものとしている。そして、前記レベル本体１１の内部に長手方向と短寸方向とに沿って水平、垂直位置測定用の透明な気泡管部１２、１２が相互に直交する方向に配置されたものとしている。各気泡管部１２は、レベル本体１１の内部に長手方向及び短寸方向に沿って中央部が僅かに膨らんだ穴１２ａが穿設されており、この穴１２ａの中央部両側に水平状態確認用マークとなる環状線１３が形成され且つその内部には気泡Ｂを残して液体Ｌが充填されて栓１４で密閉されている。
【０００４】
このような構成の水準器において、板状の磁石Ｍは、通常ゴム磁石と呼称されている、磁石粉末とゴムとを混和した可撓性を有する磁石板で、被測定面が金属面で水平、垂直、直角の測定を行う場合に、この金属面に吸着させることにより作業の利便性を増大させるもので、レベル本体１１を金属面で保持できる吸着力が得られるだけの厚さと吸着力があれば十分であるとしている（特許文献１）。
【先行技術文献】
【特許文献】
【０００５】
【特許文献１】特開平９−２１８０３７号公報
【考案の概要】
【考案が解決しようとする課題】
【０００６】
しかしながら、上記従来の水準器において、レベル本体１１の一面１１ｂに固着された板状の磁石Ｍは、磁石粉末とゴムとを混和した可撓性を有する磁石板としているため、レベル本体１１の一面１１ｂが不透明で色彩が黒っぽいものとなり、このレベル本体１１の一面１１ｂが目障りとなり、レベル本体１１に磁石Ｍを組み合わせることによって、商品価値を低下させてしまうという問題点を有していた。
【０００７】
さらに、上記従来の水準器において、板状の磁石Ｍは、磁石粉末とゴムとを混和した可撓性を有する磁石板としているため、透明合成樹脂製としたレベル本体１１との接着性が悪く、長期間の使用によってはレベル本体１１の一面１１ｂから剥がれてしまう場合があり、部分的に剥がれてしまった場合には平滑な面が保てなくなり、全体が剥がれて、外れてしまった場合にはレベル本体１１を金属の被測定面で保持できる吸着力がなくなり、商品価値を低下させたり、商品価値をまったく失ってしまうという問題点を有していた。
【０００８】
そこで、この考案は、上記従来の問題点を解決することをその課題としており、レベル本体の一面が磁石体で目障りとなるようなことはなく、さらに長期間の使用によってもレベル本体から磁石体が外れてしまうことのない水準器を提供することを目的としてなされたものである。
【課題を解決するための手段】
【０００９】
そのため、この考案の水準器は、透明の合成樹脂製とした直方体形状のレベル本体１の内部に短手方向と長手方向に沿って垂直度、水平度を測定するための透明の気泡管部２、２を互いに直交する方向に設け、前記気泡管部２、２のそれぞれの内方部の空間２ａに、気泡Ｂを残して液体Ｌを充填し、合成樹脂製の止栓４で密閉し、前記気泡管部２、２のそれぞれの外方部の空間２ｂに、磁石Ｍを収納した合成樹脂製のキャップ５を充填して、このキャップ５の外周面５ｏを前記空間部２ｂの内周面２ｉに接着させ、さらに前記キャップ５の頭部面５ｈを前記レベル本体１の外壁面１ｃと面一になるようしたものとしている。
【００１０】
そして、この考案の水準器は、前記キャップ５に収納した磁石Ｍの外周面Ｍｏを、このキャップ５の内周面５ｉに接着させたものとしている。
【００１１】
さらに、この考案の水準器は、前記止栓４およびキャップ５を不透明体にし、これらを同一色にしている。
【考案の効果】
【００１２】
この考案の水準器は、以上に述べたように構成されているので、レベル本体の一面が磁石体で目障りにとなるようなことはなく、さらに長期間の使用によってもレベル本体から磁石体が外れてしまうようなこともなく、レベル本体に磁石を組み合わせることによっても、商品価値を低下させてしまうことがないものとなる。
【図面の簡単な説明】
【００１３】
【図１】この考案の水準器の斜視図である。
【図２】この考案の水準器の正面図である。
【図３】この考案の水準器の側面である。
【図４】この考案の水準器の分解斜視図である。
【図５】この考案の水準器の図２中のＡ−Ａ線による断面図である。
【図６】従来の水準器の一例を示す斜視図である。
【図７】図６に示す従来の水準器の正面図である。
【考案を実施するための形態】
【００１４】
以下、この考案の水準器の実施の形態を、図面に基づいて詳細に説明する。
【００１５】
この考案の水準器は、透明の合成樹脂製とした直方体形状のレベル本体１の内部に短手方向と長手方向に沿って垂直度、水平度を測定するための透明の気泡管部２、２を互いに直交する方向に設けている。
【００１６】
前記レベル本体１は、正面壁１ａ、背面壁１ｂおよび外周壁１ｃ、１ｃ、１ｃ、１ｃを有したものとしており、図示したものの実寸は、短手方向の寸法を５０〜６０ｍｍとし、長手方向の寸法を９０〜１００ｍｍとし、厚さを１０〜２０ｍｍとしているが、特に限定されるものではない。また、前記レベル本体１は、正面壁１ａの中央から背面壁１ｂの中央にかけて罫書き用の孔Ｈを貫通させたものとしているが、この孔Ｈも必要に応じて設ければよい。さらに、前記レベル本体１には、必要に応じ、正面壁１ａの少なくとも互いに直交する端縁に寸法測定用の目盛り（図示せず）を設けておくこともできる。
【００１７】
前記気泡管部２、２は、レベル本体１の互いに直交する外周壁１ｃ、１ｃから内部にかけて穿設されており、それぞれ内方部の空間２ａと外方部の空間２ｂとが連設されたものとしており、内方部の空間２ａは中央部がわずかに膨らんだ円柱形状に形成しており、外方部の空間２ｂは内方部の空間２ａより少し径の大きい円柱形状に形成している。
【００１８】
前記気泡管部２の内方部の空間２ａは、中央部両側に水平状態を確認するためのマークとなる環状線３、３が設けられ、その空間２ａには気泡Ｂを残して液体Ｌを充填し、合成樹脂製の止栓４で密閉している。
【００１９】
前記気泡管部２の外方部の空間２ｂは、磁石Ｍを収納した合成樹脂製のキャップ５を充填して、このキャップ５の外周面５ｏを前記空間部２ｂの内周面２ｉに接着させ、さらに前記キャップ５の頭部面５ｈを前記レベル本体１の外壁面１ｃと面一になるようしたものとしている。このようにすることにより、前記キャップ５は、気泡管部２の外方部の空間２ｂとの接着面積が広くなって接着力が強められ、この空間２ｂから非常に外れ難いものとなる。したがって、長期間の使用によっても、レベル本体１から磁石Ｍが外れてしまうようなことはない。なお、前記キャップ５の頭部面５ｈを前記レベル本体１の外壁面１ｃと面一になるようにするには、バフ研磨するが、このバフ研磨をする場合にも、前記キャップ５は気泡管部２の空間２ｂから非常に外れ難いものとなっているので、レベル本体１から磁石Ｍが外れてしまうようなこともない。
【００２０】
この考案の水準器は、前記キャップ５に収納した磁石Ｍの外周面Ｍｏを、このキャップ５の内周面５ｉに接着させたものとしている。このようにすることにより、水準器の使用中に、キャップ５内で磁石Ｍががたつかないものとなる。
【００２１】
この考案の水準器は、前記磁石Ｍをボタン形の磁石体としており、例えば直径が１０ｍｍ程度で、厚さが５ｍｍ程度のものが使用できる。
【００２２】
この考案の水準器は、前記止栓４およびキャップ５を透明体にしたり、不透明体にすることができる。なお、前記止栓４およびキャップ５を不透明体にした場合には、これらは同一色で、明るい色彩のものにするのが好ましい。前記止栓４およびキャップ５を透明体にした場合には、黒っぽい色彩の磁石Ｍが外から見えるが、この磁石Ｍはボタン形の磁石体としているため目立つことはなく、レベル本体１の外壁面１ｃが目障りになるようなことはない。また、前記止栓４およびキャップ５を不透明体にした場合には、これらを任意の色彩にすることができ、目立たない色彩とすることも自由であり、レベル本体１の外壁面１ｃが目障りになるようなことはない。
【００２３】
したがって、この考案の水準器は、従来の水準器のように、磁石粉末とゴムとを混和した可撓性を有する磁石板を、レベル本体１の一面に固着したものとはせず、前記したような構成にすることにより、レベル本体１の一面全体が不透明で色彩が黒っぽいものとなることはなく、レベル本体１に磁石Ｍを組み合わせることによっても、商品価値を低下させてしまうことはない。
【００２４】
さらに、この考案の水準器は、従来の水準器のように、磁石Ｍを磁石粉末とゴムとを混和した可撓性を有する磁石板とはせず、前記したような構成にすることにより、長期間の使用によってはレベル本体１の一面から外れてしまうこともなく、レベル本体１を金属の被測定面で保持できる吸着力は常に維持され、商品価値を低下させたり、商品価値をまったく失ってしまうということもない。
【符号の説明】
【００２５】
１  レベル本体
１ｃ  外周壁
２  気泡管部
２ａ  空間
２ｂ  空間
２ｉ  内周面
４  止栓
５  キャップ
５ｈ  頭部面
２ｉ  内周面
５ｏ  外周面
Ｂ  気泡
Ｌ  液体
Ｍ  磁石
Ｍｏ  外周面
Ｈ  工具ホルダー
【図１】
0003152031.tif 000003
【図２】
0003152031.tif 000004
【図３】
0003152031.tif 000005
【図４】
0003152031.tif 000006
【図５】
0003152031.tif 000007
【図６】
0003152031.tif 000008
【図７】
0003152031.tif 000009
【手続補正書】
【提出日】平成21年5月8日(2009.5.8)
【手続補正１】
【補正対象書類名】実用新案登録請求の範囲
【補正対象項目名】全文
【補正方法】変更
【補正の内容】
【実用新案登録請求の範囲】
【請求項１】
透明の合成樹脂製とした直方体形状のレベル本体（１）の内部に短手方向と長手方向に沿って垂直度、水平度を測定するための透明の気泡管部（２、２）を互いに直交する方向に設け、前記気泡管部（２、２）のそれぞれの内方部の空間（２ａ）に、気泡（Ｂ）を残して液体（Ｌ）を充填し、合成樹脂製の止栓（４）で密閉し、前記気泡管部（２、２）のそれぞれの外方部の空間（２ｂ）に、磁石（Ｍ）を収納した合成樹脂製のキャップ（５）を充填して、このキャップ（５）の外周面（５ｏ）を前記空間部（２ｂ）の内周面（２ｉ）に接着させ、さらに前記キャップ（５）の頭部面（５ｈ）を前記レベル本体（１）の外壁面（１ｃ）と面一になるようしたことを特徴とする水準器。
【請求項２】
前記キャップ（５）に収納した磁石（Ｍ）の外周面（Ｍｏ）を、このキャップ（５）の内周面（５ｉ）に接着させたことを特徴とする請求項１記載の水準器。
【請求項３】
前記止栓（４）およびキャップ（５）を不透明体にし、これらを同一色にしたことを特徴とする請求項１または２記載の水準器。